【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
遊技球が始動口に入球することを契機に取得される当否判定用乱数と、
該当否判定用乱数を判定する当否判定手段とを備え、
該当否判定手段が大当りと判定した場合は、所定時間図柄を変動した後に大当りを示す図柄にて確定表示し、確定表示後に大入賞口を開放する大当り遊技が開始し、該大当り遊技が終了すると遊技状態の設定を行い、
前記当否判定手段が小当りと判定した場合は、所定時間図柄を変動した後に小当りを示す図柄にて確定表示し、確定表示後に大入賞口を開放する小当り遊技が開始し、該小当り遊技が終了すると前記小当り前の遊技状態に復帰させ、
各種演出を行うための演出用表示装置を備え、
該演出用表示装置は、前記図柄の変動に応じて演出を行うとともに前記大当りの時に大当り演出画像を表示し、前記小当りの時に小当り演出画像を表示する弾球遊技機において、
前記遊技状態として、前記当否判定手段が大当りと判定する確率が高い高確率状態と、確率が低い低確率状態を備え、前記大当りを示す図柄の種類によっていずれかが設定される構成で、
特定の大当りを示す図柄で当選した場合は、前記大当り遊技後に高確率が設定され、前記小当り遊技と同一の大入賞口の開放を行うとともに、前記小当り演出画像が選択可能な演出内容が設定されており、
前記小当りの回数を計数する小当り計数手段を設け、
該小当り計数手段の計数値が所定回数に達していないことを条件として、前記小当りと判定された場合は、前記選択可能な演出内容を選択し、
前記小当り計数手段の計数値が所定回数に達したことを条件として、前記小当りと判定された場合は、前記図柄の変動開始から前記小当り遊技の終了までの時間を用いて特別ハズレ演出表示を行う
ことを特徴とする弾球遊技機。
【請求項２】
遊技球が始動口に入球することを契機に取得される当否判定用乱数と、
該当否判定用乱数を判定する当否判定手段とを備え、
該当否判定手段が大当りと判定した場合は、所定時間図柄を変動した後に大当りを示す図柄にて確定表示し、確定表示後に大入賞口を開放する大当り遊技が開始し、該大当り遊技が終了すると遊技状態の設定を行い、
前記当否判定手段が小当りと判定した場合は、所定時間図柄を変動した後に小当りを示す図柄にて確定表示し、確定表示後に大入賞口を開放する小当り遊技が開始し、該小当り遊技が終了すると前記小当り前の遊技状態に復帰させ、
各種演出を行うための演出用表示装置を備え、
該演出用表示装置は、前記図柄の変動に応じて演出を行うとともに前記大当りの時に大当り演出画像を表示し、前記小当りの時に小当り演出画像を表示する弾球遊技機において、
前記遊技状態として、前記当否判定手段が大当りと判定する確率が高い高確率状態と、確率が低い低確率状態を備え、前記大当りを示す図柄の種類によっていずれかが設定される構成で、
特定の大当りを示す図柄で当選した場合は、前記大当り遊技後に高確率が設定され、前記小当り遊技と同一の大入賞口の開放を行うとともに、前記小当り演出画像が選択可能な演出内容が設定されており、
前記小当りの回数を計数する小当り計数手段を設け、
該小当り計数手段の計数値が所定回数に達した状態であることを条件として、前記当否判定手段が小当りと判定する確率を低下、または判定を停止させる
ことを特徴とする弾球遊技機。
【請求項３】
遊技球が始動口に入球して取得した当否判定用乱数が大当り決定用乱数と一致した場合に、大当りとなって演出用表示装置に大当り演出画像が表示され、取得したその当否判定用乱数が大当り決定用乱数と一致せず小当り決定用乱数と一致した場合に、小当りとなって演出用表示装置に小当り演出画像が表示される弾球遊技機であって、
該弾球遊技機は、大当り後の所定期間に限って大当りとなる確率が通常より高確率な状態となる特定の大当りを含む複数種類の大当りを備えるとともに、前記特定の大当り演出画像と前記小当り演出画像とが同一に設定され、さらに、その際のその他の遊技演出も同一に設定されたものにおいて、
弾球遊技機の全体を統括する主制御装置は、
前記当否判定用乱数が小当り決定用乱数と一致するか否かの判定を行う小当り当否判定手段と、前記小当りの回数を計数する小当り計数手段を有し、
前記小当り計数手段の計数が所定回数に達しない状態であるか、所定回数に達した状態であるかの情報を、演出に関する動作を行うサブ制御装置に、演出図柄の変動時間を指定するための変動パターン指定コマンドにて認識可能に送信し、
前記サブ制御装置は、
前記変動パターン指定コマンドを受信することにより、前記特定大当り遊技が行われる際に、
前記小当り計数手段の計数が所定回数に達しない状態である場合には、前記小当り遊技なのか前記特定の大当りなのかの判別を困難な状態に演出表示し、
前記小当り計数手段の計数が所定回数に達した状態である場合には、前記特定の大当り遊技の終了後に、所定期間に限って大当りとなる確率が通常より高確率な状態となることの告知演出を表示することを特徴とする弾球遊技機。
【手続補正２】
【補正対象書類名】明細書
【補正対象項目名】０００５
【補正方法】変更
【補正の内容】
【０００５】
上記目的を達成するために、請求項１に記載の発明は、
遊技球が始動口に入球することを契機に取得される当否判定用乱数と、
該当否判定用乱数を判定する当否判定手段とを備え、
該当否判定手段が大当りと判定した場合は、所定時間図柄を変動した後に大当りを示す図柄にて確定表示し、確定表示後に大入賞口を開放する大当り遊技が開始し、該大当り遊技が終了すると遊技状態の設定を行い、
前記当否判定手段が小当りと判定した場合は、所定時間図柄を変動した後に小当りを示す図柄にて確定表示し、確定表示後に大入賞口を開放する小当り遊技が開始し、該小当り遊技が終了すると前記小当り前の遊技状態に復帰させ、
各種演出を行うための演出用表示装置を備え、
該演出用表示装置は、前記図柄の変動に応じて演出を行うとともに前記大当りの時に大当り演出画像を表示し、前記小当りの時に小当り演出画像を表示する弾球遊技機において、
前記遊技状態として、前記当否判定手段が大当りと判定する確率が高い高確率状態と、確率が低い低確率状態を備え、前記大当りを示す図柄の種類によっていずれかが設定される構成で、
特定の大当りを示す図柄で当選した場合は、前記大当り遊技後に高確率が設定され、前記小当り遊技と同一の大入賞口の開放を行うとともに、前記小当り演出画像が選択可能な演出内容が設定されており、
前記小当りの回数を計数する小当り計数手段を設け、
該小当り計数手段の計数値が所定回数に達していないことを条件として、前記小当りと判定された場合は、前記選択可能な演出内容を選択し、
前記小当り計数手段の計数値が所定回数に達したことを条件として、前記小当りと判定された場合は、前記図柄の変動開始から前記小当り遊技の終了までの時間を用いて特別ハズレ演出表示を行う
ことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項２に記載の発明は、
遊技球が始動口に入球することを契機に取得される当否判定用乱数と、
該当否判定用乱数を判定する当否判定手段とを備え、
該当否判定手段が大当りと判定した場合は、所定時間図柄を変動した後に大当りを示す図柄にて確定表示し、確定表示後に大入賞口を開放する大当り遊技が開始し、該大当り遊技が終了すると遊技状態の設定を行い、
前記当否判定手段が小当りと判定した場合は、所定時間図柄を変動した後に小当りを示す図柄にて確定表示し、確定表示後に大入賞口を開放する小当り遊技が開始し、該小当り遊技が終了すると前記小当り前の遊技状態に復帰させ、
各種演出を行うための演出用表示装置を備え、
該演出用表示装置は、前記図柄の変動に応じて演出を行うとともに前記大当りの時に大当り演出画像を表示し、前記小当りの時に小当り演出画像を表示する弾球遊技機において、
前記遊技状態として、前記当否判定手段が大当りと判定する確率が高い高確率状態と、確率が低い低確率状態を備え、前記大当りを示す図柄の種類によっていずれかが設定される構成で、
特定の大当りを示す図柄で当選した場合は、前記大当り遊技後に高確率が設定され、前記小当り遊技と同一の大入賞口の開放を行うとともに、前記小当り演出画像が選択可能な演出内容が設定されており、
前記小当りの回数を計数する小当り計数手段を設け、
該小当り計数手段の計数値が所定回数に達した状態であることを条件として、前記当否判定手段が小当りと判定する確率を低下、または判定を停止させる
ことを特徴とする。
【手続補正８】
【補正対象書類名】明細書
【補正対象項目名】００１１
【補正方法】変更
【補正の内容】
【００１１】
請求項３に記載の発明は、
遊技球が始動口に入球して取得した当否判定用乱数が大当り決定用乱数と一致した場合に、大当りとなって演出用表示装置に大当り演出画像が表示され、取得したその当否判定用乱数が大当り決定用乱数と一致せず小当り決定用乱数と一致した場合に、小当りとなって演出用表示装置に小当り演出画像が表示される弾球遊技機であって、
該弾球遊技機は、大当り後の所定期間に限って大当りとなる確率が通常より高確率な状態となる特定の大当りを含む複数種類の大当りを備えるとともに、前記特定の大当り演出画像と前記小当り演出画像とが同一に設定され、さらに、その際のその他の遊技演出も同一に設定されたものにおいて、
弾球遊技機の全体を統括する主制御装置は、
前記当否判定用乱数が小当り決定用乱数と一致するか否かの判定を行う小当り当否判定手段と、前記小当りの回数を計数する小当り計数手段を有し、
前記小当り計数手段の計数が所定回数に達しない状態であるか、所定回数に達した状態であるかの情報を、演出に関する動作を行うサブ制御装置に、演出図柄の変動時間を指定するための変動パターン指定コマンドにて認識可能に送信し、
前記サブ制御装置は、
前記変動パターン指定コマンドを受信することにより、前記特定大当り遊技が行われる際に、
前記小当り計数手段の計数が所定回数に達しない状態である場合には、前記小当り遊技なのか前記特定の大当りなのかの判別を困難な状態に演出表示し、
前記小当り計数手段の計数が所定回数に達した状態である場合には、前記特定の大当り遊技の終了後に、所定期間に限って大当りとなる確率が通常より高確率な状態となることの告知演出を表示することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、小当り計数手段の計数値が所定回数に達した状態のときに、ハズレ変動表示と同一内容の特別ハズレ演出を表示させるので、外観上ハズレ変動表示と同一となり、前記大当り演出画像と前記小当り演出画像との区別ができないことに伴うドキドキ感が生じず、ハズレ変動表示の場合には遊技状態の変化や賞球の払い出しなどが無い点も同様であるので遊技者は小当りがあったことにも気づきにくく、違和感を持たずにそのまま遊技を継続することができる。
【手続補正１３】
【補正対象書類名】明細書
【補正対象項目名】００１７
【補正方法】変更
【補正の内容】
【００１７】
請求項２記載の発明によれば、小当り計数手段の計数値が所定回数に達した状態のときに、小当り当否判定手段の当選確率を低下させあるいは判定作動を停止させて、小当り自体の発生を抑制・防止するので、ドキドキ感の原因となる特定の大当り演出画像と小当り演出画像との区別ができないことの発生そのものが抑制・防止され、遊技者の心理的な疲弊の増大が緩和される。
【手続補正１４】
【補正対象書類名】明細書
【補正対象項目名】００１８
【補正方法】変更
【補正の内容】
【００１８】
請求項３記載の発明によれば、主制御装置が行った小当りの回数が所定回数に達しているか否かの判定を、サブ制御装置は変動パターン指定コマンドから把握できるので、小当りの停止または小当り確率の低減変更にあわせて特定の大当りの大当り演出画像を別の演出画像に切り換えることが可能となる。